(57)【要約】【課題】患者が本人であることの確認を確実にする。【解決手段】患者の注射部位を表示して記録する医療システムが開示される。患者の静脈パターン（１１２）に基づいて患者のアイデンティティー（患者が本人であること）を確認した後、このシステムは、注射部位の実際の位置のところで重ねられた状態で患者の先の注射部位（例えば、採血または注射のため）を検索して取り出して表示することができる。このシステムは、先の注射部位（１０４ａ〜１０４ｃ）の位置に基づいて可能性のある新たな注射部位（１０２）を決定することができる。このシステムはまた、医療従事者によって実施される手技を表示するとともに追跡することによってワークフローの遵守を保証することができる。【選択図】図１
2018079326.tif 000002
【特許請求の範囲】
【請求項１】
患者の注射部位を表示するシステムであって、
患者の医学的情報を表示するディスプレイと、
プロセッサとを含み、前記プロセッサは、
前記患者の静脈パターンを受け取り、
前記静脈パターンに基づいて前記患者のアイデンティティーを確認し、
前記患者の先の注射部位の図形標識を前記ディスプレイ上に表示し、そして、
前記患者のための可能性のある新たな注射部位の図形標識を表示するよう構成され、
前記患者の前記先の注射部位の位置と前記患者のための前記可能性のある新たな注射部位の位置は、オーバーラップしない、システム。
【請求項２】
前記プロセッサは、更に、前記患者のための前記可能性のある新たな注射部位を選択するユーザの指示を受け取るよう構成されている、請求項１記載のシステム。
【請求項３】
前記プロセッサは、更に、前記患者のための前記可能性のある新たな注射部位の前記位置を記録するよう構成されている、請求項２記載のシステム。
【請求項４】
前記システムは、前記患者の前記静脈パターンを受け取るよう構成された赤外線カメラを含む、請求項１記載のシステム。
【請求項５】
前記プロセッサは、医療情報システムから前記先の注射部位を検索して取り出すよう構成されている、請求項１記載のシステム。
【請求項６】
前記プロセッサは、前記患者の前記先の注射部位の前記位置に基づいて、前記患者のための前記可能性のある新たな注射部位の前記図形標識を表示するよう構成されている、請求項１記載のシステム。
【請求項７】
前記プロセッサは、前記ディスプレイ上に前記患者の三次元（３Ｄ）アバターを表示するよう構成され、前記先の注射部位の前記図形標識は、前記表示された３Ｄアバター上に重ねられる、請求項１記載のシステム。
【請求項８】
前記可能性のある新たな注射部位の前記位置が前記３Ｄアバター上に表示される、請求項７記載のシステム。
【請求項９】
前記ディスプレイは、ヘッドセット型ディスプレイであり、前記可能性のある新たな注射部位の前記図形標識は、前記患者上に重ねられた状態で見えるよう前記ヘッドセット上に表示される、請求項１記載のシステム。
【請求項１０】
前記システムは、前記新たな注射部位の前記位置を捕捉するよう構成された画像化センサを含む、請求項１記載のシステム。
【請求項１１】
前記新たな注射部位の前記位置は、注射器が前記患者上の前記新たな注射部位に接触した時点を検出する前記画像化センサから決定される、請求項１０記載のシステム。
【請求項１２】
医療ワークフローの遵守方法であって、
患者の静脈パターンを受け取るステップと、
前記静脈パターンに基づいて前記患者のアイデンティティーを確認するステップと、
前記患者の前記アイデンティティーに基づいて前記患者について実施されるべき手技を表示するステップと、
前記手技の実施を捕捉するステップと、
前記手技が適正に実施されたことを確認するステップとを含む、方法。
【請求項１３】
前記患者の先の注射部位の図形標識を表示するステップを更に含む、請求項１２記載の方法。
【請求項１４】
前記先の注射部位は、前記患者上に重ねられた状態で見える、請求項１３記載の方法。
【請求項１５】
前記実施されるべき手技は、注射を含む、請求項１２記載の方法。
【請求項１６】
前記静脈パターンを受け取る前記ステップは、赤外線カメラからのデータを受け取るステップを含む、請求項１５記載の方法。
【請求項１７】
前記赤外線カメラは、ヘッドセット内に設けられている、請求項１６記載の方法。
【請求項１８】
前記ユーザが前記注射を実施するのに先立って前記ユーザに対して前記注射用の注射器サイズを表示するステップと、
前記ユーザに対して前記注射用の針サイズを表示するステップと、
前記ユーザに対して注射されるべき薬剤の名称を表示するステップとを含む、請求項１５記載の方法。
【請求項１９】
前記患者の前記アイデンティティーを確認する前記ステップは、前記受け取った静脈パターンを静脈パターンの医療情報データベースと照合するステップを含む、請求項１２記載の方法。
【請求項２０】
前記手技が適正に実施されたことを確認する前記ステップは、前記手技が前記患者に対して実施された場所の位置を検出するステップと、前記検出した位置を記憶された位置と照合するステップとを含む、請求項１２記載の方法。
【発明の詳細な説明】
【技術分野】
【０００１】
本発明は、一般に、医療ワークフローの遵守分野、特に注射部位の識別および追跡のための方法およびシステムに関する。
【背景技術】
【０００２】
注射または生物学的サンプルの収集、例えば採血に先立って、医療従事者は、通常、患者のアイデンティティー（その患者が本人であること）を確認する。患者のアイデンティティーの確認（本人確認）は、患者の外的確認を得るのを含むのが良い。例えば、医療従事者は、患者が本人であることを口頭で確認する場合がある。別の例として、医療従事者は、患者が着用しているリストバンドに基づいて患者のアイデンティティーを確認する場合がある。
【発明の概要】
【発明が解決しようとする課題】
【０００３】
患者のアイデンティティーのかかる外的確認は、間違いをもたらす場合がある。
【課題を解決するための手段】
【０００４】
一実施形態は、患者の注射部位を表示するための装置である。この実施形態は、患者の医学的情報を表示するディスプレイと、プロセッサとを含むのが良く、プロセッサは、患者の静脈パターンを受け取り、静脈パターンに基づいて患者のアイデンティティーを確認し、患者の先の注射部位の図形標識をディスプレイ上に表示し、そして、患者のための可能性のある新たな注射部位の図形標識を三次元アバター上に表示するよう構成され、患者の先の注射部位の位置と患者のための可能性のある新たな注射部位の位置は、オーバーラップしない。
【０００５】
別の実施形態は、医療ワークフローの遵守方法である。この実施形態は、患者の静脈パターンを受け取るステップと、静脈パターンに基づいて患者のアイデンティティーを確認するステップと、患者のアイデンティティーに基づいて患者について実施されるべき手技を表示するステップと、手技の実施を捕捉するステップと、手技が適正に実施されたことを確認するステップとを含むのが良い。
【図面の簡単な説明】
【０００６】
【図１】投影された図形標識によって表示された患者の腕上の例示の使用できない先の注射部位および患者の腕上に重ねられた新たな図形標識として示された可能性のある新たな注射部位を示す略図である。
【図２】ホログラフィックアイウェアと、医療情報システムと、電子医療記録システムとの間の例示の相互作用を示す略図である。
【図３】先の注射部位のありかに基づいて可能性のある新たな注射部位を決定して表示する例示の方法を示す流れ図である。
【図４】注射ワークフロー遵守のための例示の方法を示す流れ図である。
【図５】ホログラフィックアイウェア、医療情報システム、および電子医療記録システムの例示の動作環境を示すブロック図である。
【発明を実施するための形態】
【０００７】
以下の詳細な説明において、本明細書の一部をなす添付の図面を参照する。図面において、文脈上別段の指定がなければ、同一の記号は、代表的には、同一のコンポーネントを示している。詳細な説明、図面、および特許請求の範囲に記載された例示の実施形態は、本発明を限定することが意図されていない。本明細書において提供された要旨の精神または範囲から逸脱することなく他の実施形態を利用することができ、しかも他の変更を行うことができる。容易に理解されるように、本明細書において一般的に説明するとともに図面に示されている本発明の観点を多種多様な形態で構成し、置き換え、組み合わせ、分離し、そして設計することができ、これらの全ては、本明細書において明示的に想定され、本明細書の開示内容の一部とされる。
【０００８】
概観
【０００９】
コンピュータ生成図形標識を用いて患者の先の注射部位を医療従事者に図形表示するシステムおよび方法が本明細書において開示される。一実施形態では、赤外光捕捉能力を備えたカメラが患者の手足または他の体の領域中の静脈の存在を検出するために用いられる。カメラは、血液サンプル収集またはカテーテル配置のために静脈のサイズおよび位置を容易に検出するために使用できる。本明細書において開示するシステムおよび方法はまた、見つけにくい静脈、脱水状態の患者を識別する上でも有用な場合がある。患者の先の注射部位および静脈パターンを記憶して電子医療記録システム（ＥＭＲＳ）から検索して取り出すことができる。次に、これらの部位を、患者の皮膚上に投影されまたはゴーグルにより視認される図形標識と関連づけるのが良い。このシステムはまた、患者の記憶された先の注射部位に基づいて患者のための１つまたは２つ以上の可能性のある新たな注射部位を決定して表示することができる。表示された可能性のある新たな注射部位は、医療従事者のワークフローを改善するよう患者の静脈中への針の挿入を案内することができる。本明細書で用いられる医療従事者は、本明細書において開示するシステムおよび方法を操作しまたは利用することができる医師、看護師、保健医療提供者、医療管理スタッフ、または病院管理者を意味することができる。
【００１０】
先の注射部位および可能性のある新たな注射部位を医療従事者が専用ヘッドセットを着用しまたは専用に作られたディスプレイを見たときに視認することができる。ヘッドセットは、３Ｄバイザー、例えばMicrosoft（登録商標）社製のHoloLens（登録商標）または類似の装置であるのが良い。変形例として、ヘッドセットは、医療従事者によって着用される特注の１本のメガネであっても良い。ヘッドセットは、注射部位の図形標識を患者の静脈上に重ねられた状態で見えるように表示するよう構成されているのが良い。先の注射部位は、先の注射または採血場所であるのが良い。システムは、例えばいつ先の注射または採血が実施されたかのような、先の注射部位と関連した情報を表示するのが良い。システムは、新たな注射が患者に対して行われた場所および時点を記録する画像化センサを用いて注射または採血の実際の新たな注射部位を決定して記録するのが良い。注射または採血の実施は、電子医療記録システム内に記憶され、患者の医療記録の一部となるのが良い。
【００１１】
表示のために患者の先の注射部位を検索して取り出すのに先立って、医療情報システム（ＭＩＳ）は、患者の静脈パターンに基づいて患者のアイデンティティーを確認するのが良い。この本人確認方式は、静脈認証とも言う場合がある。患者の静脈パターンを赤外線（ＩＲ）画像化センサによって捕捉することができ、その理由は、静脈中のヘモグロビンがＩＲ光を吸収するからである。次に、患者のアイデンティティーを、捕捉した静脈の独特のパターンに基づいて判定（確認）することができる。静脈認証を用いた患者の本人確認は、患者による口頭確認には依存せず、したがって、患者は本人確認されるために、覚醒しているまたは意識のある状態にある必要はない。加うるに、本人確認は、患者のリストバンドに施されたバーコードの走査を必要としない。
【００１２】
不適正な患者本人確認の結果として、医療および診断の誤りが起こる場合がある。サンプル収集を取り入れながら静脈認証を用いて患者の本人確認を向上させることにより、針刺しの繰り返しによる患者に対する痛みを軽減することができ、しかもサンプル収集中に正しいサンプルが正しい患者から収集されるようにすることによって患者の安全性を高めることができる。さらに、看護師の訓練および介護の質を計測して向上させることができる。例えば、患者に注射する回数およびサンプル収集持続時間を決定して分析することができる。
【００１３】
医療情報システム（ＭＩＳ）を用いると医療プロセスが特定の医療ワークフローに準拠するようにすることができる。例えば、医師は、患者のための薬剤の注射情報を発注することができる。注射の形式、薬剤の種類、および患者の身体的特徴（例えば、身長、体重、または年齢）に基づいて、医療情報システムは、適正な注射器サイズおよび針サイズを決定することができる。ヘッドセットまたはディスプレイは、適正な注射器サイズ、針サイズ、および薬剤を、注射を準備している医療従事者に表示することができる。カメラによって医療従事者が注射のための適正な注射器、針、および薬剤を選択したことを捕捉して認証することができ、そしてその情報を医療記録に記憶させることができる。
【００１４】
注射部位の表示、決定、および記録
【００１５】
図１は、一連の静脈１１２を有する患者の腕１０２を示す略図である。また、先の注射部位１０４ａ〜１０４ｃが示されており、これら先の注射部位は、先の注射が起こった静脈１１２中の位置を指示している。腕１０２中の可能性のある新たな注射部位１０８もまた患者の静脈１１２上に重ね合わされた状態で示されている。表示のために患者の先の注射部位１０４ａ〜１０４ｃを検索して取り出すため、医療情報システム（ＭＩＳ）は、患者の静脈パターン１１２に基づいて患者のアイデンティティーを確認することができる（静脈認証とも呼ばれる）。患者の静脈パターン１１２を赤外光のヘモグロビン吸収に起因して赤外線（ＩＲ）カメラによって捕捉することができる。患者の先の注射部位１０４ａ〜１０４ｃおよび静脈パターン１１２を電子医療記録システム（ＥＭＲＳ）（例えば、図２の電子医療記録システム２１０）に記憶させることができたりこれから検索して取り出すことができたりする。ＭＩＳはまた、患者の先の注射部位１０４ａ〜１０４ｃに基づいて患者のための１つまたは２つ以上の可能性のある新たな注射部位１０８を決定して表示することができる。
【００１６】
医療従事者が特定のヘッドセットを着用しまたは専用に作られたディスプレイを見ると、先の注射部位１０４ａ〜１０４ｃおよび可能性のある新たな注射部位１０８を視認することができる。特別なヘッドセットの一形式は、ホログラフィックアイウェアである。ホログラフィックアイウェアは、静脈認証のために患者の静脈パターン１１２を捕捉するための赤外線（ＩＲ）カメラを含むのが良い。特別なヘッドセットは、注射部位１０４ａ〜１０４ｃを患者の静脈上に重ねられた図形標識であるように見えるものとして表示するよう構成されているのが良い。先の注射部位１０４ａ〜１０４ｃは、先の注射または採血の場所であるのが良い。このシステムは、例えば、いつ先の注射または採血が実施されたかといった、先の注射部位１０４ａ〜１０４ｃと関連した種々の情報形式を表示することができる。図１では、注射部位１０４ａ〜１０４ｃは、それぞれ、４月１２日火曜日、５月１１日水曜日、および６月２６日金曜日というこれらの注射または採血日付きで表示される。このシステムは、全ての注射部位１０４ａ〜１０４ｃに共通の情報項目１１６を表示することができる。図１では、情報項目１１６は、注射部位１０４ａ〜１０４ｃが注射または採血にとって使用できない部位であることを示している。
【００１７】
医療従事者は、システムによって判別（決定）された、可能性のある新たな注射部位１０８のところで注射または採血を行うのが良い。このシステムは、医療従事者が手技を実施したときに実際の新たな注射または採血部位を決定して記録することができる。例えば、このシステムは、針が患者の腕に接触したときに新たな注射部位の位置を決定することができる。別の例として、医療従事者は、用いられた実際の治療部位がシステムによって示唆された注射部位１０８であるという指令をシステムに与えることができる。
【００１８】
システム概観
【００１９】
図２は、ヘッドセット２０６と医療情報システム２０４と電子医療記録システム２１０との間の例示の相互作用を示す略図である。医療従事者は、アバターまたは他の情報の３Ｄ表示、例えば注射部位を表示するよう構成されたヘッドセット２０６を用いて医療情報システム２０４と対話することができる。Microsoft（登録商標）社製のHoloLens（登録商標）は、本発明の実施形態の範囲内で用いることができるヘッドセットまたはホログラフィックアイウェアの一形式の非限定的な例である。ヘッドセットまたはホログラフィックアイウェアの他の非限定的な例としては、Google（登録商標）のGlass（登録商標）、Oculus（登録商標）のRift（登録商標）、Sony（登録商標）のGlasstron（登録商標）、およびHTC（登録商標）のVive（登録商標）が挙げられる。
【００２０】
ホログラフィックアイウェア２０６は、一般に、医療従事者の眼の各々について１つずつ、合計２枚のレンズを含み、かかるレンズは、医療従事者の視界内に３Ｄ画像を提供することができる。ホログラフィックアイウェア２０６は、情報、例えば患者２０２の先の注射部位１０４ａ〜１０４ｃおよび可能性のある新たな注射部位１０８を、その２枚のレンズにより医療従事者に対して表示することができる。幾つかの実施形態では、ホログラフィックアイウェア２０６は、その１つまたは２つ以上のスピーカーまたはイヤフォンを用いて医療従事者と情報のやりとりをすることができる。
【００２１】
ホログラフィックアイウェア２０６、その１つまたは２つ以上のセンサは、医療従事者の指令（例えば、実際の新たな注射部位の場所）をモニタして確認するよう構成されている。医療従事者は、指、手、腕、脚、または医療従事者と関連した他の物体の動きを用いてホログラフィックアイウェア２０６によって読み取られた指令を与えることができる。ホログラフィックアイウェア２０６は、ネットワーク２０８を介して医療情報システム２０４と連絡関係にあるのが良い。
【００２２】
医療情報システム２０４は、ホログラフィックアイウェア２０６によって医療従事者に表示可能に電子医療記録システム（ＥＭＲＳ）２１０から医療情報、例えば先の注射部位１０４ａ〜１０４ｃを検索して取り出すよう構成されているのが良い。電子医療記録システム２１０から検索によって取り出された先の注射部位１０４ａ〜１０４ｃをホログラフィックアイウェア２０６および医療情報システム２０４によって捕捉して生じさせることができる。幾つかの実施形態では、電子医療記録システム２１０から検索によって取り出された先の注射部位をホログラフィックアイウェア２０６および医療情報システム２０４以外のシステムによって捕捉して生じさせることができる。患者の先の注射部位１０４ａ〜１０４ｃを患者の静脈１１２上に重ねられた状態で表示することができる。
【００２３】
幾つかの実施形態では、ヘッドセットは、注射部位を患者上の代わりに三次元（３Ｄ）にまたは二次元（２Ｄ）アバター上に重ねた状態で見えるよう表示するよう構成されているのが良い。アバターは、人体を三次元で表示することができる。３Ｄまたは２Ｄアバターは、ホログラフィックアバターであるのが良い。本明細書において開示する方法およびシステムを具体化するための技術の非限定的な例としては、複合現実化技術、拡張現実化技術、およびバーチャルリアリティ技術が挙げられる。
【００２４】
可能性のある新たな針部位を決定して表示する方法
【００２５】
図３は、先の注射部位の場所に基づいて可能性のある新たな注射部位を決定して表示する例示の方法３００を示す流れ図である。開始ブロック３０４のところで始まった後、医療情報システムでランする方法３００は、ブロック３０８のところで患者の静脈パターンを受け取る。例えば、ヘッドセットは、患者の静脈パターンを捕捉するための赤外線（ＩＲ）センサを含むのが良い。
【００２６】
プロセス３００は、次に、ブロック３１２に進んで患者からの捕捉静脈パターンに基づいて患者のアイデンティティー（その患者が本人であること）を確認する。患者の捕捉静脈パターンを患者の電子的に記憶されている静脈パターンテンプレートと比較するのが良い。一実施例では、静脈パターンテンプレートを医療情報システム（ＭＩＳ）経由で電子医療記録システム（ＥＭＲＳ）から検索して取り出すことができる。捕捉静脈パターンと検索して取り出した静脈パターンテンプレートを比較することによってこの方法３００は、患者のアイデンティティーを判定して確認する。静脈パターン照合を行う一方法は、米国特許第６，３０１，３７５号明細書に見られ、この米国特許を参照により引用し、その記載内容全体を本明細書の一部とする。
【００２７】
プロセス３００は、次にブロック３１６に進み、このブロック３１６では、システムは、先の注射部位の図形標識を表示することができる。例えば、システムは、先の注射部位の図形標識をヘッドセット上に表示することができる。ヘッドセットを着用している医療従事者にとって、図形標識は、先の注射部位の位置に対応した位置で患者の上に重ねられた状態で見える。図形標識は、注射部位の位置を示す円であっても良く、正方形であっても良く、長方形であっても良く、あるいは任意他の幾何学的形状であって良い。システムは、先の注射部位の位置を医療情報システム経由で電子医療記録システムから検索して取り出すことができる。幾つかの実施形態では、システムは、先の注射部位の図形標識を三次元（３Ｄ）アバター上に表示することができる。図形標識は、患者の先の注射部位の位置に対応した位置にあるのが良い。
【００２８】
方法３００は、次に、ブロック３２０に進んで、可能性のある新たな注射部位の図形標識を表示する。ヘッドセットを着用している医療従事者にとって、図形標識は、可能性のある新たな注射部位の位置に対応した位置で患者の上に重ねられた状態で見える。図形標識は、注射部位の位置を指示する任意形状であって良い。幾つかの実施形態では、システムは、可能性のある新たな注射部位の図形標識を三次元（３Ｄ）アバター上に表示することができる。一実施形態では、システムは、先の注射部位の位置に基づいて可能性のある新たな注射部位の位置を決定することができる。例えば、患者の先の注射部位の位置と患者の可能性のある新たな注射部位の位置は、オーバーラップしないのが良い。
【００２９】
プロセス３００は、次に、決定ブロック３２４に進み、この決定ブロックでは、医療従事者が可能性のある新たな注射部位を選択したかどうかの判定が行われる。例えば、注射に関して可能性のある新たな注射部位を選択する医療従事者からの命令を受け取った後、医療従事者が可能性のある新たな注射部位を選択したという判定が行われる。医療従事者は、ソフトウェアの選択を行うことによりまたはヘッドセット上のホログラフィック投影像を用いて特定の指標を選択することによってこの命令を行うことができる。医療従事者が可能性のある新たな注射部位を選択しなかった場合、方法３００は、決定ブロック３２８に進み、この決定ブロックにおいて、システムは、医療従事者が別の可能性のある新たな注射部位を表示したいと思っているかどうかを判定する。医療従事者が、別の可能性のある新たな注射部位が表示されるべきであるという選択を行った場合、この方法３００は、ブロック３２０に戻る。医療従事者が別の可能性のある新たな注射部位の表示を望まないということが医療従事者によって指示された場合、この方法は、終了ブロック３３６に進み、この終了ブロックにおいてこの方法３００が終了する。
【００３０】
決定ブロック３２４において、医療従事者が可能性のある新たな注射部位を選択した場合、この方法３００は、ブロック３３２に進み、このブロックにおいて、システムは、患者にとって実際の新たな注射部位の位置を判定（決定）して記録する。例えば、患者の実際の新たな注射部位は、ユーザが患者に対する実際の新たな注射部位を指示したときに決定される。別の例として、新たな注射部位は、ヘッドセットによって注射器が患者に接触したかどうかが判定されたときに決定される。さらに別の例として、患者の新たな注射部位をユーザが実際の新たな注射部位に相当する３Ｄアバター上の位置を指示したときに決定することができる。電子医療記録システムは、患者に関する実際の新たな注射部位の位置を記憶することができる。電子医療システムはまた、画像または映像として例えば注射または採血のような手技を記憶することができ、これは患者の医療記録の一部であるのが良い。
【００３１】
ワークフローの遵守方法
【００３２】
図４は、注射ワークフロー遵守のための医療情報システムでランする例示の方法４００を示す流れ図である。方法４００が開始ブロック４０４で始まった後、方法４００は、患者に関する注射（または別の手技、例えば採血）の発注を受け取る。この発注は、患者のアイデンティティーに基づくのが良い。患者のアイデンティティーを静脈認証に基づいて判定することができる。例えば、患者の静脈パターンを患者の静脈パターンテンプレートと比較して患者のアイデンティティーを確認するのが良い。
【００３３】
方法４００は、次に、ブロック４１２に進み、このブロックにおいて、システムは、注射にとって適正な注射器サイズを表示する。医療従事者によって用いられるヘッドセットは、患者の医療記録および任意の薬局発注に基づいて適正な注射器サイズを医療従事者に表示することができる。決定ブロック４１６では、システムは、医療従事者が表示された注射器サイズを受け入れたかどうかについての医療従事者からの指令を受け取る。医療従事者が表示された注射器サイズを受け入れなかった場合、この方法４００は、ブロック４１２に戻る。医療従事者が表示された注射器サイズを受け入れた場合、この方法４００は、ブロック４２０に進む。
【００３４】
ブロック４２０では、システムは、注射にとって適正な針サイズを表示する。ヘッドセット２０６は、適正な針サイズを医療従事者に表示することができる。注射の形式、薬剤の種類、および患者の身体的特徴（例えば、身長、体重、または年齢）に基づいて、方法４００は、適正な注射器サイズおよび針サイズを決定することができる。適正な注射器および針のサイズの多数の組み合わせがあり得る。決定ブロック４２４では、方法４００は、医療従事者が表示された針サイズを受け入れたかどうかについての医療従事者からの指令を受け取る。医療従事者が表示された針サイズを受け入れなかった場合、この方法４００は、ブロック４２０に進む。医療従事者が表示された注射器サイズを受け入れた場合、この方法４００は、ブロック４２８に進む。
【００３５】
ブロック４２８では、方法４００は、投与されるべき薬剤の名称を表示する。ヘッドセットは、薬剤名称を医療従事者に表示することができる。決定ブロック４３２では、この方法は、医療従事者が投与のための表示された薬剤を受け入れたかどうかについての医療従事者からの指令を受け取る。医療従事者が表示された薬剤を受け入れなかった場合、この方法４００は、終了ブロック４４４で終わる。医療従事者が表示された薬剤を受け入れた場合、方法４００は、ブロック４３６に進む。
【００３６】
ブロック４３６では、システムは、正確な注射器、針、および薬剤が注射のために医療従事者によって用いられたことを捕捉して認証する。例えば、このシステムは、手技の実施を捕捉して、この手技が適正に実施されたことを確認することができる。例えば、注射器またはそのパッケージは、バーコードを有するのが良い。このシステムは、注射器または注射器のパッケージの画像を捕捉してバーコードを捕捉することによって、適正な注射器が医療従事者によって用いられて注射を準備したことを判定することができる。別の例として、薬剤の瓶は、そのラベル上に施されたバーコードを有するのが良い。システムは、瓶のラベルの画像を捕捉してバーコードを捕捉することによって、正しい薬剤が医療従事者によって用いられて注射を準備したことを判定することができる。手技または注射の実施を電子医療記録システムに記憶するのが良く、これは患者の医療記録の一部となるのが良い。この方法４００が医療従事者によって用いられた注射器、針、および薬剤が正しいということを決定ブロック４４０で判定した場合、システム４００は、終了ブロック４４４で終わる。決定ブロック４４０において、この方法により誤った注射器、針、または薬剤が注射の準備の際に医療従事者によって用いられたことが判定された場合、この方法は、ブロック４１２に戻る。
【００３７】
動作環境
【００３８】
ホログラフィックアイウェア
【００３９】
図５は、ヘッドセット２０６、医療情報システム２０４、および電子医療記録システム２１０の例示の動作環境を示すブロック図である。ヘッドセット２０６に関して多くの形態が可能であるが、ヘッドセット２０６の一実施形態が図５に示されている。図示のように、ヘッドセット２０６は、メモリ５０８Ａ、記憶装置５１０Ａ、および通信インターフェース５１２Ａと電気通信状態にあるプロセッサ５０６Ａを搭載するのが良い。メモリ５０８Ａは、ヘッドセット２０６の電源をオンにしたときにヘッドセット２０６の機能を実行するようプロセッサ５０６Ａを構成するための命令を記憶している。ヘッドセット２０６の電源をオフにしたとき、記憶装置５１０Ａは、ヘッドセット２０６の機能を実行するようプロセッサ５０６Ａを構成するための命令を記憶する。通信インターフェース５１２Ａは、ヘッドセット２０６とネットワーク２０８に接続されている他の装置、例えば医療情報システム２０４との通信を容易にする。
【００４０】
ヘッドセット２０６は、プロセッサ５０６Ａと電気通信状態にある、１つまたは２つ以上のセンサ、例えばイメージセンサ５１４Ｃ（例えば、赤外線（ＩＲ）画像化センサ）またはマイクロフォン５１４Ｄを有するのが良い。これらセンサは、医療従事者の動きおよび医療従事者が出す音、例えば医療従事者が口頭指令をヘッドセット２０６に提供する何かを検出するよう構成されているのが良い。これらセンサは、医療従事者がヘッドセット２０６のレンズを介して見る人々および物体の動きを検出することができる。医療情報システム（ＭＩＳ）のコミュニケータ５４２Ａおよび通信インターフェース５１２Ａは、ヘッドセット２０６と医療情報システム２０４の間の通信を容易にするよう構成されている。
【００４１】
患者アイデンティファイヤ（識別装置）５３８は、ヘッドセット２０６のイメージセンサ５１２Ｃによって捕捉された患者の静脈パターンに基づいて患者のアイデンティティーを判定するよう構成されている。ヘッドセット２０６は、注射部位リトリーバ５２８Ａ、注射部位ディスプレーヤ５３０、新たな注射部位レコーダ５３２Ａ、および新たな注射部位デターミナ（判別部・決定部）５３６Ａを有するのが良い。注射部位リトリーバ５２８Ａは、電子医療記録システム２１０から先の注射部位を検索して取り出すよう構成されている。注射部位ディスプレーヤ５３０は、先の注射部位および可能性のある新たな注射部位を医療従事者に表示するよう構成されている。新たな注射部位レコーダ５３２Ａは、電子医療記録システム２１０における記憶のために実際の新たな注射部位を決定して記録するよう構成されている。新たな注射部位デターミナ５３６Ａは、患者の先の注射部位に基づいて可能性のある新たな注射部位を判別（決定）するよう構成されている。
【００４２】
ヘッドセット２０６は、３Ｄアバターを医療従事者に表示するよう構成されたアバターディスプレーヤ５２６を有するのが良い。ヘッドセット２０６の指令デターミナ５４０が１つまたは２つ以上のセンサに基づいてヘッドセット２０６に医療従事者によって与えられる指令を判別（決定）するよう構成されている。ヘッドセット２０６のワークフロー遵守マネージャ５４４Ａがワークフロー遵守（例えば、図４に示された注射ワークフロー遵守方法４００）を保証するよう構成されている。
【００４３】
医療情報システム
【００４４】
医療情報システム２０４について多くの形態の採用が可能であるが、医療情報システム２０４の一実施形態が図５に示されている。図示のように、医療情報システム２０４は、メモリ５０８Ｂ、記憶装置５１０Ｂ、および通信インターフェース５１２Ｂと電気通信状態にあるプロセッサ５０６Ｂを搭載するのが良い。メモリ５０８Ｂは、医療情報システム２０４の電源をオンにしたときに医療情報システム２０４の機能を実行するようプロセッサ５０６Ｂを構成するための命令を記憶している。医療情報システム２０４の電源をオフにしたとき、記憶装置５１０Ｂは、医療情報システム２０４の機能を実行するようプロセッサ５０６Ｂを構成するための命令を記憶する。通信インターフェース５１２Ｂは、医療情報システム２０４とネットワーク２０８に接続されている他の装置、例えばヘッドセット２０６および電子医療記録システム２１０との通信を容易にする。
【００４５】
医療情報システム２０４のアイウェアコミュニケータ５５０および通信インターフェース５１２Ｂは、医療情報システム２０４とヘッドセット２０６との通信を容易にするよう構成されている。医療情報システム２０４の電子医療記録システムコミュニケータ５５２および通信インターフェース５１２Ｂは、医療情報システム２０４と電子医療記録システム２１０との通信を容易にするよう構成されている。
【００４６】
ヘッドセット２０６は、注射部位リトリーバ５２８Ｂ、新たな注射部位レコーダ５３２Ｂ、および新たな注射部位デターミナ５３６Ｂのうちの１つまたは２つ以上を有するのが良い。注射部位リトリーバ５２８Ｂは、電子医療記録システム２１０に記憶されている患者の先の注射部位を検索により取り出すように構成されている。新たな注射部位レコーダ５３２Ｂは、電子医療記録システム２１０への記憶のために新たな注射部位を判別（決定）するよう構成されている。新たな注射部位デターミナ５３６Ｂは、患者の先の注射部位に基づいて患者のための可能性のある新たな注射部位を判別（決定）するよう構成されている。
【００４７】
医療情報システム２０４は、ワークフロー遵守マネージャ５４４Ｂを含むのが良く、このワークフロー遵守マネージャ５４４Ｂは、医療従事者が種々の環境下において従うべき適当な命令、例えば注射のための適正な注射器サイズ、針サイズ、および薬剤を決定するよう構成されている。
【００４８】
電子医療記録システム
【００４９】
電子医療記録システム２１０について多くの形態の採用が可能であるが、電子医療記録システム２１０の一実施形態が図５に示されている。図示のように、電子医療記録システム２１０は、メモリ５０８Ｃ、記憶装置５１０Ｃ、および通信インターフェース５１２Ｃと電気通信状態にあるプロセッサ５０６Ｃを搭載するのが良い。メモリ５０８Ｃは、医療記録システム２１０の電源をオンにしたときに医療記録システム２１０の機能を実行するようプロセッサ５０６Ｃを構成するための命令を記憶する。医療記録システム２１０の電源をオフにしたとき、記憶装置５１０Ｃは、医療記録システム２１０の機能を実行するようプロセッサ５０６Ｃを構成するための命令を記憶している。記憶装置５１０Ｃはまた、患者の医療記録を記憶するのが良い。通信インターフェース５１２Ｃは、医療記録システム２１０とネットワーク２０８に接続されている他の装置、例えば医療情報システム２０４との通信を容易にする。
【００５０】
ヘッドセット２０６は、注射部位リトリーバ５２８Ｃ、新たな注射部位レコーダ５３２Ｃおよび医療情報システムコミュニケータ５４２Ｃのうちの１つまたは２つ以上を有するのが良い。注射部位リトリーバ５２８Ｃは、電子医療記録システム２１０の記憶装置５１０Ｃに記憶されている医療記録を検索して取り出すよう構成されている。新たな注射部位レコーダ５３２Ｃは、電子医療記録システム２１０の記憶装置５１０Ｃに記憶可能な医療記録を作成するよう構成されている。医療情報システムコミュニケータ５４２Ｃおよび通信インターフェース５１２Ｃは、電子医療記録システム２１０と医療情報システム２０４の通信を容易にするよう構成されている。
【００５１】
幾つかの実施形態では、医療情報システム２０４は、ヘッドセット２０６の機能のうちの幾つかを実行することができる。幾つかの実施形態では、ヘッドセット２０６は、医療情報システム２０４の機能のうちの幾つかを実行することができる。幾つかの実施形態では、医療情報システム２０４は、電子医療記録システム２１０の機能のうちの幾つかを実行することができる。幾つかの実施形態では、電子医療記録システム２１０は、医療情報システム２０４の機能のうちの幾つかを実行することができる。
【００５２】
医療情報システム２０４とヘッドセット２０６は、それぞれ通信インターフェース５１２Ａまたは５１２Ｂを用いてネットワーク２０８を介して互いに通信することができる。医療情報システム２０４と電子医療記録システム２１０は、それぞれ通信インターフェース５１２Ｂまたは５１２Ｃを用いてネットワーク２０８を介して互いに通信することができる。通信インターフェース５１２Ａ、５１２Ｂ、または５１２Ｃは、ワイヤードもしくはワイヤレス通信方式、セルラー通信方式、ブルートゥース（Bluetooth（登録商標））、ローカルエリアネットワーク（local area network：ＬＡＮ）、ワイドローカルエリアネットワーク（wide local area network：ＷＬＡＮ）、高周波（ＲＦ）通信方法もしくはシステム、赤外線（ＩＲ）通信方法もしくはシステム、または当該技術分野において知られている任意他の通信方法もしくはシステムによってネットワーク２０８に接続可能である。幾つかの実施形態では、通信インターフェース５１２Ａ、５１２Ｂ、または５１２Ｃは、クラウド接続性を用いて互いに通信する。医療情報システム２０４は、通信インターフェース５１２Ａまたは５１２Ｂ、医療情報システムコミュニケータ５４２Ａおよびアイウェアコミュニケータ５５０を用いてヘッドセット２０６とのデータの送受信を行うことができる。医療情報システム２０４は、通信インターフェース５１２Ｂまたは５１２Ｃ、電子医療記録システムコミュニケータ５５２および医療情報システム５４４Ｃを用いて電子医療記録システム２１０とのデータの送受信を行うことができる。
【００５３】
センサ
【００５４】
ヘッドセット２０６は、例えば２つのイメージセンサ５１４Ｃを有するのが良い。２つのイメージセンサ５１４Ｃにより、ヘッドセット２０６は、医療従事者が見るものを捕捉することができる。２つのイメージセンサ５１４Ｃのうちの一方は、医療従事者の左目に空間的に近く配置されるとともにこれが医療従事者の左目が見るものを捕捉するよう差し向けられるのが良い。２つのイメージセンサ５１４Ｃのうちの他方は、医療従事者の右目に空間的に近く配置されるとともにこれが医療従事者の右目が見るものを検出するよう差し向けられるのが良い。幾つかの実施形態では、２つのイメージセンサ５１４Ｃは、指令デターミナ５４０によって処理可能に、光子を電気信号および画像に変換する。幾つかの実施形態では、ヘッドセット２０６は、プロセッサ５０６Ａおよびメモリ５０８Ａを用いて、２つのイメージセンサ５１４Ｃからの画像を組み合わせて医療従事者がその２つの目で見るものの立体像を造ることができる。幾つかの実施形態では、ヘッドセット２０６は、１つのイメージセンサ５１４Ｃを有するのが良い。イメージセンサ５１４Ｃは、２つの目の間に配置されるとともに医療従事者がその２つの目で見るものをこのイメージセンサが検出してこれを模倣するよう差し向けられるのが良い。幾つかの実施形態では、イメージセンサ５１４Ｃは、ヘッドセット２０６上の他の場所に配置されても良い。
【００５５】
ヘッドセット２０６は、１つまたは２つ以上のイメージセンサ５１４Ｃを用いて医療従事者が自分の視界に見るものを捕捉することができる。幾つかの実施形態では、ヘッドセット２０６は、１つまたは２つ以上のイメージセンサ５１４Ｃを用いて医療従事者が自分の視界に見たもの以上のものをまたはこれ以下のものを検出することができる。図２を参照して説明したように、医療従事者が自分の指、手、腕、脚またはこの医療従事者に関連づけられている１つもしくは２つ以上の物体のうちの１つまたは２つ以上がコンテンツアイテムに接触したことを、ヘッドセット２０６を介して見たときに、ヘッドセット２０６は、かかる接触が起きたことを判別（確認）することができる。ヘッドセット２０６は、１つまたは２つ以上のイメージセンサ５１４Ｃを用いて、かかる接触が起きたことを判別（確認）することができる。その結果、ヘッドセット２０６は、医療従事者が自分の指、手、腕、脚、または自分に関連づけられている１つもしくは２つ以上の物体を用いてヘッドセット２０６に与える指令を捕捉して「見る」ことができる。幾つかの実施形態では、ヘッドセット２０６は、１つまたは２つ以上のイメージセンサ５１４Ｃを用いて新たな映像医療記録または新たな画像医療記録を作ることができる。
【００５６】
マイクロフォン５１４Ｃは、ヘッドセット２０６の周りの環境からのおよび医療従事者からの音を検出するよう構成されているのが良い。ヘッドセット２０６は、医療従事者が聞いたり言ったりしたことを検出して「聞く」。幾つかの実施形態では、マイクロフォン５１４Ｃは、指令デターミナ５４０による処理のために音波を電気信号に変換する。
【００５７】
アバターディスプレイ
【００５８】
ヘッドセット２０６は、プロセッサ５０６Ａと通信状態にあるアバターディスプレーヤ５２６を有するのが良い。アバターディスプレーヤ５２６は、ヘッドセット２０６の１枚または２枚以上のレンズ上に表示された状態で医療従事者に示された３Ｄアバターの特性を決定する。３Ｄアバター２０２の特性の非限定的な例としては、色、不透明度、サイズ、向き、および位置が挙げられる。幾つかの実施形態では、アバターディスプレーヤ５２６は、患者の体重および身長に基づいて３Ｄアバター２０２のサイズを決定することができる。アバターディスプレーヤ５２６は、例えばヘッドセット２０６の１枚または２枚以上のレンズが医療従事者に示す種々のコンテンツアイテムの数およびサイズに基づいて３Ｄアバター２０２のサイズを求めることができる。アバターディスプレーヤ５２６は、例えばホログラフィックアイウェアの視界内の他の物体の色、不透明度、サイズ、向き、および位置に基づいて３Ｄアバター２０２の位置を求めることができる。他の物体の非限定的な例としては、患者、医師の診療所の備品、および医療機器が挙げられる。例えば、アバターディスプレーヤ５２６は、３Ｄアバター２０２が患者と一致しまたは患者とオーバーラップするようヘッドセット２０６の１枚または２枚以上のレンズ上に３Ｄアバター２０２を表示することができる。別の例として、アバターディスプレーヤ５２６は、３Ｄアバター２０２が患者に隣接して位置するようヘッドセット２０６の１枚または２枚以上のレンズ上に３Ｄアバター２０２を表示することができる。
【００５９】
注射部位検索取り出し、表示、決定、および記録
【００６０】
ヘッドセット２０６は、プロセッサ５０６Ａと通信状態にある、注射部位リトリーバ５２８Ａ、注射部位ディスプレーヤ５３０、新たな注射部位レコーダ５３２Ａ、および新たな注射部位デターミナ５３６Ａのうちの１つまたは２つ以上を有するのが良い。注射部位リトリーバ５２８Ａは、医療情報システム２０４の注射部位リトリーバ５２８Ｂおよび電子医療記録システム２１０の注射部位リトリーバ５２８Ｃと関連して、電子医療記録システム２１０に記憶されている先の注射部位を検索して取り出すことができる。電子医療記録システム２１０に記憶されている先の注射部位を検索して取り出すため、注射部位リトリーバ５２８Ａは、先の注射部位に関する１つまたは２つ以上の要求を医療情報システム２０４の注射部位リトリーバ５２８Ｂに送ることができる。例えば患者アイデンティファイヤ５３８によって確認された患者のアイデンティティーに基づいて、注射部位リトリーバ５２８Ｂは、要求された注射部位を電子医療記録システム２１０の注射部位リトリーバ５２８Ｃから検索して取り出すことができる。次に、注射部位リトリーバ５２８Ｂは、電子医療記録システム２１０から検索して取り出された要求注射部位をヘッドセット２０６に送ることができる。
【００６１】
注射部位ディスプレーヤ５３０は、先の注射部位および可能性のある新たな注射部位を表示することができる。注射部位ディスプレーヤ５３０は、注射部位を患者２０２上の実際の注射部位の場所のところで重ねられた状態で表示することができる。幾つかの実施形態では、注射部位ディスプレーヤ５３０は、電子医療記録システム２１０から検索して取り出された先の注射部位の幾つかまたは全てを医療従事者に表示することができる。
【００６２】
図５を参照すると、新たな注射部位レコーダ５３２Ａは、医療情報システム２０４の新たな注射部位レコーダ５３２Ｂおよび電子医療記録システム２１０の新たな注射部位レコーダ５３２Ｃと関連して、新たな注射部位の記憶を可能にする。電子医療記録システム２１０は、新たな注射部位を記憶装置５１０Ｃ内に記憶させることができる。新たな注射部位デターミナ５３６Ａは、患者の注射部位がオーバーラップすることがないように、患者の先の注射部位に基づいて可能性のある新たな注射部位を決定するよう構成されている。
【００６３】
指令判別（決定）
【００６４】
ヘッドセット２０６は、プロセッサ５０６Ａと通信状態にある指令デターミナ５４０を有するのが良い。指令デターミナ５４０は、ヘッドセット２０６の１つまたは２つ以上のセンサと関連して、医療従事者がヘッドセット２０６に与える指令を判別（決定）することができる。かくして、医療従事者は、指令デターミナ５４０および１つまたは２つ以上のセンサ５１４を介してヘッドセット２０６および医療情報システム２０４と対話することができる。
【００６５】
幾つかの実施形態では、１つまたは２つ以上のイメージセンサ５１４Ｃは、これらセンサが医療従事者の見るものを検出することができるようヘッドセット２０６上に差し向けられた状態で配置されている。ヘッドセット２０６は、１つまたは２つ以上のイメージセンサ５１４Ｃを用いて、医療従事者の指、手、腕、脚、および医療従事者と関連している１つまたは２つ以上の物体の動きを捕捉してこれらを「見る」ことができる。指令デターミナ５４０は、１つまたは２つ以上のイメージセンサ５１４Ｃによって捕捉された像に基づいて、これらの動きが医療従事者によって与えられた視覚的指令であると判定することができる。視覚的指令に基づいて、ヘッドセット２０６は、その１枚または２枚以上のレンズ上で医療従事者に示されたディスプレイをアップデートすることができる。
【００６６】
幾つかの実施形態では、ヘッドセット２０６は、１つまたは２つ以上のマイクロフォン５１４Ｃを用いて、医療従事者の言った言葉を検出することができる。指令デターミナ５４０は、１つまたは２つ以上のマイクロフォン５１４Ｃによって生じた信号に基づいて、これらの言葉が医療従事者によって与えられた口頭指令であると判定することができる。口頭指令に基づいて、ヘッドセット２０６は、医療従事者に示されたディスプレイをアップデートすることができる。
【００６７】
指令デターミナ５４０中の命令は、医療従事者による指令を判別（決定）するようプロセッサ５０６Ａを構成することができる。幾つかの実施形態では、指令デターミナ５４０は、１つまたは２つ以上のセンサから受け取ったデータを解釈し、そしてデータに１つまたは２つ以上のフィルタを適用する命令を含むのが良い。例えば、指令デターミナ５４０は、例えばマイクロフォン５１４Ｃによって捕捉された音波を解釈するために、例えばマイクロフォン５１４Ｃによって捕捉された医療従事者の環境からのノイズを除くための１つまたは２つ以上のフィルタを適用するようプロセッサ５０６Ａを構成する命令を含むのが良い。指令デターミナ５４０中の命令はまた、１つまたは２つ以上のセンサによって受け取ったデータから指令パラメータを抽出するようプロセッサ５０６Ａを構成することができる。
【００６８】
ワークフロー遵守マネージャ
【００６９】
ヘッドセット２０６は、プロセッサ５０６Ａと通信状態にあるタスクワークフローディスプレーヤ５４４Ａを有するのが良い。医療情報システム２０４は、プロセッサ５０６Ｂと通信状態にあるタスクワークフローディスプレーヤ５４４Ｂを含むのが良い。タスクワークフローディスプレーヤ５４４Ａは、タスクワークフローディスプレーヤ５４４Ｂと一緒になって、医療従事者が所与のタスクに関して従うべき適切な命令を決定することができる。タスクワークフローディスプレーヤ５４４Ａは、医療従事者が記憶装置５１０Ａ内の種々のタスクに関して従うべき命令を記憶するのが良い。幾つかの実施形態では、タスクワークフローディスプレーヤ５４４Ｂは、医療従事者が記憶装置５１０Ｂ内の種々のタスクに関して従うべき命令を記憶するのが良い。タスクワークフローディスプレーヤ５４４Ｂは、医療従事者が従うべき記憶装置５１０Ｂに記憶されている種々のタスクについて記憶されている命令をタスクワークフローディスプレーヤ５４４Ａに提供するのが良い。
【００７０】
例えば、採血のために患者の腕の血管の存在場所を突き止めるため、タスクワークフローディスプレーヤ５４４Ａは、採血のために患者の腕の血管の存在場所を首尾良く突き止めるために医療従事者が従うべき命令をホログラフィックアイウェアの１枚または２枚以上のレンズ上で医療従事者に表示することができる。例えば、カテーテルを患者の体内に挿入するため、タスクワークフローディスプレーヤ５４４Ａは、カテーテルを患者の体内に首尾良く挿入するために医療従事者が従うべき命令をホログラフィックアイウェアの１枚または２枚以上のレンズ上で医療従事者に表示することができる。幾つかの実施形態では、タスクワークフローディスプレーヤ５４４Ａは、医療従事者が、病院、市当局、国家、または連邦政府によって義務化されている手技を遵守することを容易にするための命令を、医療従事者に表示することができる。
【００７１】
アイウェアと医療情報システムと電子医療記録システム相互間の通信
【００７２】
ヘッドセット２０６は、プロセッサ５０６Ａと通信状態にある３Ｄアバター医療情報コミュニケータ５４２Ａおよび通信インターフェース５１２Ａを有するのが良い。医療情報システム２０４は、プロセッサ５０６Ｂと通信状態にあるアイウェアコミュニケータ５５０および通信インターフェース５１２Ｂを含むのが良い。３Ｄアバター医療情報コミュニケータ５４２Ａおよびアイウェアコミュニケータ５５０は、通信インターフェース５１２Ａまたは５１２Ｂと一緒になって、ヘッドセット２０６と医療情報システム２０４との間の通信を容易にする。幾つかの実施形態では、３Ｄアバター医療情報コミュニケータ５４２Ａおよびアイウェアコミュニケータ５５０は、通信インターフェース５１２Ａまたは５１２Ｂと一緒になって、医療従事者アイデンティファイヤ５２４Ａまたは５２４Ｂと、注射部位リトリーバ５２８Ａまたは５２８Ｂと、新たな注射部位レコーダ５３２Ａまたは５３２Ｂと、新たな注射部位デターミナ５３６Ａまたは５３６Ｂと、タスクワークフローディスプレーヤ５４４Ａまたは５４４Ｂとの間の通信を容易にする。
【００７３】
医療情報システム２０４は、プロセッサ５０６Ｂと通信状態にある電子医療記録システムコミュニケータ５５２および通信インターフェース５１２Ｂを含むのが良い。電子医療記録システム２１０は、プロセッサ５０６Ｃと通信状態にある３Ｄアバター医療情報コミュニケータ５４２Ｃおよび通信インターフェース５１２Ｃを含むのが良い。電子医療記録システムコミュニケータ５５２および３Ｄアバター医療情報コミュニケータ５４２Ａは、通信インターフェース５１２Ｂまたは５１２Ｃと一緒になって、医療情報システム２０４と電子医療記録システム２１０との間の通信を容易にする。幾つかの実施形態では、電子医療記録システムコミュニケータ５５２および３Ｄアバター医療情報コミュニケータ５４２Ａは、通信インターフェース５１２Ｂ／Ｃと一緒になって、注射部位リトリーバ５２８Ｂ／Ｃと新たな注射部位レコーダ５３２Ｂ／Ｃとの間の通信を容易にすることができる。
【００７４】
本明細書において説明するとともに／あるいは添付の図面に示したプロセス、方法、およびアルゴリズムの各々を１つまたは２つ以上の物理的コンピュータ計算システム、ハードウェアコンピュータプロセッサ、特定用途向け回路、および／または特定のおよび特別のコンピュータ命令を実行するよう構成された電子ハードウェアによって実行されるコードモジュールに具体化されるとともにこれらコードモジュールによって全体的にまたは部分的に自動化されるのが良い。例えば、コンピュータ計算システムは、特定のコンピュータ命令でプログラムされた汎用コンピュータ（例えば、サーバ）または専用コンピュータ、専用回路などを含むことができる。コードモジュールは、実行可能なプログラムにコンパイルされるとともにリンクされ、ダイナミックリンクライブラリ内にインストールされるのが良く、あるいは、解釈されたプログラミング言語で書き込まれるのが良い。幾つかの具体化例では、特定の演算および方法は、所与の機能に特有の回路によって実施できる。
【００７５】
さらに、本発明の機能のある特定の具体化例は、十分に数学的であり、コンピュータ計算可能であり、または技術的に複雑なので、例えば関与する計算の量または複雑さに起因して機能を実行しまたは結果を実質的にリアルタイムで提供するのに、特定用途向けハードウェアまたは１つもしくは２つ以上の物理的コンピュータ計算装置（適当な専用の実行可能な命令を利用する）が必要な場合がある。例えば、ビデオは、多くのフレームを含むのが良く、各フレームは、数百万個のピクセルを有し、特別にプログラムされたコンピュータハードウェアがビデオデータを処理して所望の画像処理タスクまたはアプリケーションを商業的に妥当な時間の長さで提供することが必要である。
【００７６】
コードモジュールまたは任意のデータ形式が任意形式の非一過性コンピュータ可読媒体、例えば物理的コンピュータ記憶装置上に記憶されるのが良く、かかる記憶装置としては、ハードドライブ、ソリッドステートメモリ、読み取り書き込み記憶装置（ＲＡＭ）、読み取り専用記憶装置（ＲＯＭ）、光ディスク、揮発性または非揮発性記憶装置、これらの組み合わせおよび／または同様のものが挙げられる。方法およびモジュール（またはデータ）はまた、生成されたデータ信号として（例えば、搬送波または他のアナログもしくはディジタル伝搬信号の一部として）ワイヤレスを利用したおよびワイヤード／ケーブルを利用した媒体を含む種々のコンピュータ可読伝送媒体上で伝送可能であり、かかる方法およびモジュール（またはデータ）は、種々の形態をとることができる（例えば、単一のまたは多重化アナログ信号の一部として、または多数の別々のディジタルパケットもしくはフレームとして）。開示したプロセスまたはプロセスステップの結果を任意形式の非一過性の有形の（タンジブル）コンピュータ記憶装置に絶え間なくまたは違ったやり方で記憶可能でありまたはコンピュータ可読伝送媒体を介して通信可能である。
【００７７】
本明細書において説明するとともに／あるいは添付の図面に示した流れ図中の任意のプロセス、ブロック、状態、ステップ、または機能は、コードモジュール、セグメント、またはプロセス中の特定の機能（例えば、論理的または算術的）またはステップを実行するための１つまたは２つ以上の実行可能な命令を含むコードの部分を潜在的に表わすものとして理解されるべきである。種々のプロセス、ブロック、状態、ステップ、または機能は、組み合わせ可能であり、再構成可能であり、本明細書において提供される例示に追加可能であり、かかる例示から削除可能であり、改造可能であり、または違ったやり方で変更可能である。幾つかの実施形態では、追加のまたは異なるコンピュータ計算システムまたはコードモジュールは、本明細書において説明した機能の幾つかまたは全てを実行することができる。本明細書において説明した方法およびプロセスはまた、いかなる特定の順序にも限定されず、これらと関連したブロック、ステップ、または状態を適当な他のシーケンスで、例えばシリアルで、パラレルで、または他のなんらかの仕方で実施することができる。タスクまたはイベントを開示した例示の実施形態に追加することができまたはこれらから省くことができる。さらに、本明細書において説明した具体化例中の種々のシステムコンポーネントの分離は、例示目的であり、全ての具体化例においてかかる分離を必要とするものと解されてはならない。理解されるべきこととして、説明したプログラムコンポーネント、方法、およびシステムを一般的に単一のコンピュータ製品中にまとめて一体化することができ、または多数のコンピュータ製品中にパッケージ化することができる。多くの具体化例の変形例の採用が可能である。
【００７８】
プロセス、方法、およびシステムをネットワーク（または分散型）コンピュータ計算環境で具体化できる。ネットワーク環境としては、企業規模のコンピュータネットワーク、イントラネット、ローカルエリアネットワーク（ＬＡＮ）、ワイドエリアネットワーク（ＷＡＮ）、パーソナルエリアネットワーク（ＰＡＮ）、クラウドコンピュータ計算ネットワーク、クラウドソースドコンピュータ計算ネットワーク、インターネット（Internet）、およびワールドワイドウェブ（ＷＷＷ）が挙げられる。ネットワークは、ワイヤードネットワークであっても良く、ワイヤレスネットワークであっても良く、あるいは任意他形式の通信ネットワークであって良い。
【００７９】
本発明のシステムおよび方法は、各々、幾つかの革新的な観点を有し、これらのうちの１つとして、本明細書において開示した所望の属性の単独で原因となっているわけではなくまたは必要とされているわけではない。上述した種々の特徴およびプロセスを互いに別個独立に用いることができまたは種々の仕方で組み合わせることができる。全ての考えられるコンビネーションおよびサブコンビネーションは、本発明の範囲に属することが意図されている。本開示において説明した具体化例の種々の改造例は、当業者には容易に明らかであると言え、本明細書において特定した一般的原理は、本発明の精神および範囲から逸脱することなく、他の具体化例に利用できる。かくして、特許請求の範囲に記載された発明は、本明細書に示した具体化例に限定されるものではなく、本明細書において開示した本開示内容、原理および新規な特徴と一致した最も広い範囲がかかる発明に与えられるべきである。
【００８０】
別々の具体化例との関係で本明細書において説明したある特定の特徴もまた、単一の具体化例において組み合わせ状態で具体化できる。これとは逆に、単一の具体化例の文脈で説明した種々の特徴はまた、多数の具体化例に別々にまたは任意適当なサブコンビネーションの状態で具体化できる。さらに、諸特徴をある特定のコンビネーションの状態で作用するものとして上述している場合があり、しかもさらにそれ自体当初クレーム請求することができるが、クレーム請求されたコンビネーションからの１つまたは２つ以上の特徴を場合によってはコンビネーションから削除することができ、クレーム請求されたコンビネーションは、サブコンビネーションまたはサブコンビネーションの変形例に関する場合がある。各実施形態および全ての実施形態にとって必要であり欠くことができない単一の特徴または特徴のまとまりは存在しない。
【００８１】
原文明細書において用いられる条件を表す用語、例えばとりわけ、“can”（「〜することができる」、「〜をするのが良い」と訳している場合が多い）、“could”（「〜しても良い」と訳している場合が多い）、“might”（「〜かもしれない」と訳している場合が多い）、“may”（「〜する場合がある」と訳している場合が多い）、“e.g.,”（「例えば」と訳している場合が多い）などは、別段の指定がなければまたは使用されている内容の範囲内で違った内容に理解されなければ、一般に、ある特定の実施形態がある特定の特徴、要素および／またはステップを含み、他方、他の実施形態がある特定の特徴、要素および／またはステップを含まないことを意味するものである。かくして、かかる条件を表す用語は、一般に、特徴、要素および／またはステップが１つまたは２つ以上の実施形態に必要な任意の仕方にあることまたは１つまたは２つ以上の実施形態が必然的にオペレータの入力またはプロンプティングの有無にかかわらず、これら特徴、要素および／またはステップが含まれるかどうか或いは任意特定の実施形態で実施されるべきであるかどうかを決定するための論理を含むことを示唆するものではない。“comprising”（「〜を有する」と訳している場合が多い）、“including”（「〜を含む」と訳している場合が多い）、“having”（「〜を有する」または「〜を備えている」と訳している場合が多い）などという用語は、同義語であり、かかる用語は、包括的に非限定方式で用いられ、追加の要素、特徴、行為、作業などを排除することはない。また、“or”（「または」）という用語は、その包括的意味で用いられており（その排他的意味では用いられていない）、従って、これが用いられた場合、例えば、要素のリストを関係づけるために用いられた場合、“or”という用語は、このリスト中の一要素、幾つかの要素、または要素の全てを意味する。加うるに、本願原文明細書および原文特許請求の範囲で用いられている冠詞“ａ”、“ａｎ”および“ｔｈｅ”は、別段の指定がなければ、「１つまたは２つ以上」または「〜のうちの少なくとも１つ」を意味するものと解されるべきである。
【００８２】
本明細書において説明するアイテムのリストの「少なくとも１つ」という語句は、単一の部材を含むこれらアイテムの任意の組み合わせを意味している。一例を挙げると、「Ａ、Ｂ、またはＣのうちの少なくとも１つ」は、Ａ、Ｂ、Ｃ、ＡおよびＢ、ＡおよびＣ、ＢおよびＣ、ならびにＡ、Ｂ、およびＣを含むものである。もしそうでなければ、連言的な言葉、例えば「Ｘ、ＹおよびＺのうちの少なくとも１つ」という表現は、別段の指定がなければ、一般にアイテム、用語などがＸ、ＹまたはＺのうちの少なくとも１つであるのが良いということを伝えるために用いられる文脈で理解される。かくして、かかる連源的な言葉は、一般的には、ある特定の実施形態ではＸという少なくとも１つ、Ｙという少なくとも１つおよびＺという少なくとも１つが各々存在することが必要であることを意味するものではない。
【００８３】
同様に、操作が図面に特定の順序で示されている場合があるが、所望の結果を達成する上で、かかる操作を図示の特定の順序でまたは連続した順序で実施する必要はなく、あるいは、全ての図示の操作を実施する必要がないことが理解されるべきである。さらに、図面は、流れ図（フローチャート）の形態で１つまたは２つ以上の例示のプロセスを概略的に示している場合がある。しかしながら、図示されていない他の操作を概略的に示された例示の方法およびプロセスに組み込むことが可能である。例えば、図示の操作のうちの任意のものの実施前、実施後、これと同時にまたはこれら図示の操作相互間で１つまたは２つ以上の追加の操作を実施することができる。加うるに、これら操作は、他の具体化例では再構成されても良くまたは再順序づけされても良い。ある特定の環境では、マルチタスキングおよび並行処理が有利な場合がある。さらに、上述の具体化例中の種々のシステムコンポーネントの分離は、全ての具体化例においてかかる分離を必要とするものと解されてはならず、説明したプログラムコンポーネントおよびシステムは、一般に、単一のソフトウェア製品にまとめて一体化できまたは多数のソフトウェア製品にパッケージ化できることは理解されるべきである。加うるに、他の具体化例が以下の特許請求の範囲に記載された本発明の範囲に含まれる。幾つかの場合では、特許請求の範囲に記載された行為を別の順序で実施でき、かかる行為は、依然として所望の結果を達成する。
【符号の説明】
【００８４】
１００  医療システム
１０２  患者の腕
１０４ａ〜１０４ｃ  注射部位
１０８  可能性のある新たな注射部位
１１２  静脈
２０２  患者
２０６  ヘッドセット
【図１】
2018079326.tif 000003
【図２】
2018079326.tif 000004
【図３】
2018079326.tif 000005
【図４】
2018079326.tif 000006
【図５】
2018079326.tif 000007